(57)【要約】【課題】サブウェートを作業床上に仮置きすることなくカウンタウェート枠に積み込むことができるサブウェート揚重治具、及びサブウェートの積込方法の提供。【解決手段】本発明に係るサブウェート揚重治具９は、エレベータのカウンタウェート枠１に、サブウェート２を載置する際に活用されるものであり、側面にサブウェート２の搬出が可能な搬出口１５を有し、サブウェート２が収納された状態で揚重される揚重容器１６と、この揚重容器１６の搬出口１５からのサブウェート２の落下を防止する固定棒１９と、カウンタウェート枠１の開口１ａと揚重容器１６の搬出口１５とが対向する状態で、カウンタウェート枠１と揚重容器１６との距離が所定以上大きくなることを防止する距離固金具２０とを備えている。本発明に係るサブウェート積込方法は、前述の構成のサブウェート揚重治具９を用いてサブウェート２の積み込みを行うものである。【選択図】図４
2014177312.tif 000002
【特許請求の範囲】
【請求項１】
側面に形成され、載置されるサブウェートの挿入が可能な開口と、載置された前記サブウェートが前記開口から落下しないように保持する保持具とを有するエレベータのカウンタウェート枠に、前記サブウェートを載置する際に活用されるサブウェート揚重治具において、
側面に前記サブウェートの搬出が可能な搬出口を有し、前記サブウェートが収納された状態で揚重される揚重容器と、
前記揚重容器の前記搬出口からの前記サブウェートの落下を防止する落下防止部と、
前記カウンタウェート枠の前記開口と前記揚重容器の前記搬出口とが対向する状態で、前記カウンタウェート枠と前記揚重容器との距離が所定以上大きくなることを防止する距離固定部とを備えたことを特徴とするサブウェート揚重治具。
【請求項２】
請求項１に記載のサブウェート揚重治具において、
前記搬出口と対向する前記揚重容器の側面に、前記サブウェートを押し出すことを可能にする押し出し開口を設けたことを特徴とするサブウェート揚重治具。
【請求項３】
請求項１または２に記載のサブウェート揚重治具において、
前記揚重容器に、前記搬出口から前記揚重容器の外部への前記サブウェートの移動を補助する移動補助部材を設けたことを特徴とするサブウェート揚重治具。
【請求項４】
請求項１乃至３のいずれか１項に記載のサブウェート揚重治具を用いて前記サブウェート枠に前記サブウェートを積み込むサブウェートの積込方法において、
前記揚重治具に前記サブウェートを収納し、
前記揚重治具の前記搬出口と前記カウンタウェート枠の前記開口とが対向するように前記揚重治具を揚重し、
前記揚重治具の前記搬出口と前記サブウェート枠の前記開口とを対向させた状態で、前記カウンタウェート枠と前記揚重容器との距離が所定以上大きくなることを防止する前記距離固定部を設置し、
この状態で前記揚重容器の前記落下防止部を取り外し、
前記揚重容器に収納された前記サブウェートを、前記搬出口から前記開口を介して前記カウンタウェート枠に移動させて、前記カウンタウェート枠に載置させ、
前記カウンタウェート枠に前記保持部を設置することを特徴とするサブウェートの積込方法。
【発明の詳細な説明】
【技術分野】
【０００１】
本発明は、エレベータのカウンタウェート枠にサブウェートを積み込む際に活用されるサブウェート揚重治具、及びサブウェートの積込方法に関する。
【背景技術】
【０００２】
従来、エレベータのカウンタウェート枠に、乗りかごとの重量バランスを確保するサブウェートを積み込む場合、作業床上にサブウェートを一旦仮置きし、カウンタウェート枠の形状に合わせてサブウェートを斜めに傾けて積み込むことが行われることが多かった。
【０００３】
このような状況から、カウンタウェート枠の側板を開放し、サブウェートを斜めにすることなくカウンタウェート枠に積み込むことができる技術が特許文献１に提案されている。
【先行技術文献】
【特許文献】
【０００４】
【特許文献１】特開２００７−６２９０４号公報
【発明の概要】
【発明が解決しようとする課題】
【０００５】
前述した特許文献１に開示された従来技術によれば、サブウェートの積み込みはしやすくなるものの、作業床上にサブウェートを一旦仮置きしてから、人力によって１個ずつサブウェートをカウンタウェート枠に積み込むものであり、必ずしもこのサブウェート積み込み作業の能率を向上させるものとは言い難かった。したがって、より効率よくサブウェートをカウンタウェート枠に積み込むことのできる技術の開発が要望されていた。
【０００６】
本発明は、前述した従来技術における実情からなされたもので、その目的は、サブウェートを作業床上に仮置きすることなくカウンタウェート枠に積み込むことができるサブウェート揚重治具、及びサブウェートの積込方法を提供することにある。
【課題を解決するための手段】
【０００７】
前記目的を達成するために、本発明に係るサブウェート揚重治具は、側面に形成され、載置されるサブウェートの挿入が可能な開口と、載置された前記サブウェートが前記開口から落下しないように保持する保持具とを有するエレベータのカウンタウェート枠に、前記サブウェートを載置する際に活用されるサブウェート揚重治具において、側面に前記サブウェートの搬出が可能な搬出口を有し、前記サブウェートが収納された状態で揚重される揚重容器と、前記揚重容器の前記搬出口からの前記サブウェートの落下を防止する落下防止部と、前記カウンタウェート枠の前記開口と前記揚重容器の前記搬出口とが対向する状態で、前記カウンタウェート枠と前記揚重容器との距離が所定以上大きくなることを防止する距離固定部とを備えたことを特徴としている。
【０００８】
また、本発明に係るサブウェートの積込方法は、前記サブウェート揚重治具を用いて前記サブウェート枠に前記サブウェートを積み込むサブウェートの積込方法において、前記揚重治具に前記サブウェートを収納し、前記揚重治具の前記搬出口と前記カウンタウェート枠の前記開口とが対向するように前記揚重治具を揚重し、前記揚重治具の前記搬出口と前記カウンタウェート枠の前記開口とを対向させた状態で、前記カウンタウェート枠と前記揚重容器との距離が所定以上大きくなることを防止する前記距離固定部を設置し、この状態で前記揚重容器の前記落下防止部を取り外し、前記揚重容器に収納された前記サブウェートを、前記搬出口から前記開口を介して前記カウンタウェート枠に移動させて、前記カウンタウェート枠に載置させ、前記カウンタウェート枠に前記保持部を設置することを特徴としている。
【発明の効果】
【０００９】
本発明に係るサブウェート揚重治具、及びサブウェートの積込方法によれば、サブウェートを作業床上に仮置きすることなく揚重容器からカウンタウェート枠に積み込むことができ、サブウェートの積込作業の能率と安全性を従来に比べて向上させることができる。
【図面の簡単な説明】
【００１０】
【図１】エレベータの昇降路に本実施形態に係るサブウェート揚重治具を配置した状態を示す図である。
【図２】本実施形態の積み込み対象であるサブウェートが積み込まれるカウンタウェート枠を示す正面図である。
【図３】図２のＡ−Ａ断面図である。
【図４】本実施形態に係るサブウェート揚重治具を示す斜視図である。
【図５】本実施形態に係るサブウェート揚重治具を用いてサブウェート枠にサブウェートを積み込む状態を示す側面図である。
【図６】図５のＢ−Ｂ断面図である。
【発明を実施するための形態】
【００１１】
以下、本発明に係るサブウェート揚重治具、及びサブウェートの積込方法の実施の形態を図面に基づいて説明する。
【００１２】
図１に示すように、エレベータのカウンタウート枠１にサブウェート２を積み込む場合には、昇降路上部の建屋内に適した構造物がないときには、Ｈ鋼などを用いて作業床３の作業床用吊り点４を設置し、作業床用揚重機５を取り付け、この作業床用揚重機５から垂下させた作業床用ワイヤロープ６を使用して作業床３を吊持させて作業場所の確保を行う。続いて、カウンタウェート枠用揚重機７を使用して、カウンタウェート枠１を昇降路上部まで揚重し、このカウンタウェート枠１をカウンタウェート枠用ワイヤロープ８などで固定する。
【００１３】
本実施形態では更に、昇降路上部の建屋内に適した構造物がない場合には、Ｈ鋼などを用いてサブウェート揚重治具９の治具用吊り点１０を設置し、治具用揚重機１１を取り付け、この治具用揚重機１１から垂下させた治具用ワイヤロープ１２とサブウェート揚重治具９を連結してサブウェート２を収納したサブウェート揚重治具９の揚重を行う。
【００１４】
そして、サブウェート揚重治具９の一側面とカウンタウェート枠１の一側面とを対向させ、サブウェート揚重治具９に収納したサブウェート２をカウンタウェート枠１内に移行させるものである。
【００１５】
図２に示すように、カウンタウート枠１は、少なくとも１側面に、載置されるサブウェート２の挿入が可能な開口１ａと、載置されたサブウェート２を開口１ａから外部へ落下しないように保持する保持部、すなわち塞ぎ板１３とを備えている。図３に示すように、カウンタウェート枠１の塞ぎ板１３は、サブウェート２の載置時に取り外して、開口１ａをサブウェート２の外形よりも大きな状態とし、サブウェート２の載置後は、塞ぎ板用ボルト１４にて取り付け固定され、開口１ａをサブウェート２の外形よりも小さな状態として、カウンタウェート枠１からのサブウェート２の落下を防止する。
【００１６】
図４に示すように、サブウェート揚重治具９は、側面の少なくとも１面にサブウェート２の排出を可能にする搬出口１５を有し、搬出口１５と対向する側面にサブウェート２を押し出すことを可能にする押し出し開口１８を有し、サブウェート２が収納された状態で揚重される揚重容器１６と、搬出口１５からサブウェート２が落下することを防止する落下防止部、すなわち固定棒１９とを備えている。また図５，６に示すように、本実施形態に係るサブウェート揚重治具９は、カウンタウェート枠１の開口１ａと搬出口１５とが対向する状態で、カウンタウェート枠１とサブウェート揚重治具９との距離が所定以上大きくなることを防止する距離固定部、すなわち距離固定具２０を備えている。
【００１７】
図４に示すように、揚重容器１６は、サブウェート２をカウンタウェート枠１内へ水平方向にスライドさせる際の移動を補助する移動補助部材、すなわちローラ１７を底面に有している。更に、揚重容器１６は、サブウェート２の積み込みに際して持ち運びを容易にするために、下部にキャスタ２１を備えている。固定棒１９は、上側へスライドさせて揚重容器１６から引き抜くことができる構造となっている。
【００１８】
このような構造を有する本実施形態に係るサブウェート揚重治具９を用いて、カウンタウェート枠１にサブウェート２を積み込む手順を図５，６を用いて説明する。
【００１９】
例えば昇降路底部において、サブウェート２を本実施形態に係るサブウェート揚重治具９の揚重容器１６内に積み込み、図１に示す治具用ワイヤロープ１２による吊り位置までキャスタ２１を介して移動させる。その後、治具用ワイヤロープ１２を揚重容器１６の上部に固定し、揚重容器１６を治具用揚重機１１によって吊り上げる。この際に，カウンタウェート枠１の塞ぎ板１３は予め取り外しておく。
【００２０】
作業床３上の作業者は、揚重容器１６の搬出口１５とカウンタウェート枠１の開口１ａとが対向する状態とし、揚重容器１６とカウンタウェート枠１との距離が所定の距離、即ち揚重容器１６からカウンタウェート枠１へとサブウェート２をスライドさせる際に、少なくとも揚重容器１６とカウンタウェート枠１の間からサブウェート２が落ちてしまうことがない距離より大きくならないよう、距離固定具２０で固定する。
【００２１】
本実施形態では、図６に示すように、距離固定具２０は例えばＬ字形状をしており、カウンタウェート枠１をガイドするガイドレール２２の反揚重治具側の側面に係止することで揚重容器１６とカウンタウェート枠１との距離を一定に保っている。また、距離固定具２０はその長手方向に伸びる長穴からなる調整穴を介して揚重容器１６に設けられており、調整ボルト２３の締結度合いにより、距離固定具２０の固定距離を調整する。
【００２２】
その状態で作業床３上の作業者は、固定棒１９を上側に引き抜き、押し出し開口１８を介してサブウェート２を押し出して、搬出口１５からカウンタウェート枠１内へスライドさせる。このときに、サブウェート２の重量によってこのサブウェート２の押し出し操作が阻害される虞があるが、本実施形態では、揚重容器１６の底部に設けたローラ１７の回転により円滑にサブウェート２の押し出し操作を行うことができる。
【００２３】
そして、カウンタウェート枠１の塞ぎ板１３を図３に示す塞ぎ板用ボルト１４によって締結する。これにより、カウンタウェート枠１からのサブウェート２の落下を防止できる。
【００２４】
以上の手順によって、サブウェート２の積み込み作業が完了する。なお、一度の積み込み作業によって規定の数のサブウェート２を積み込むことができない場合には、上述の作業を必要回数繰り返す。
【００２５】
本実施形態に係るサブウェート揚重治具９、及びサブウェート２の積込方法によれば、サブウェート２を作業床３上に仮置きすることなくカウンタウェート枠１内に積み込むことができ、この積み込み作業の能率と安全性を向上させことができる。
【符号の説明】
【００２６】
１    カウンタウェート枠
１ａ  開口
２    サブウェート
３    作業床
４    作業床用吊り点
５    作用床用揚重機
６    作業床用ワイヤロープ
７    カウンタウェート枠用揚重機
８    カウンタウェート枠用ワイヤロープ
９    サブウェート揚重治具
１０  治具用吊り点
１１  治具用揚重機
１２  治具用ワイヤロープ
１３  塞ぎ板（保持部）
１４  塞ぎ板用ボルト
１５  搬出口
１６  揚重容器
１７  ローラ（移動補助部材）
１８  押し出し開口
１９  固定棒（落下防止部）
２０  距離固定具（距離固定部）
２１  キャスタ
２２  ガイドレール
２３  調整ボルト
【図１】
2014177312.tif 000003
【図２】
2014177312.tif 000004
【図３】
2014177312.tif 000005
【図４】
2014177312.tif 000006
【図５】
2014177312.tif 000007
【図６】
2014177312.tif 000008